(57)【要約】【課題】電流検出装置を小型化する。【解決手段】本発明の電流検出装置１０は、コアユニット２０と電子ユニット３０とを備える。コアユニット２０は、ギャップ部２２が設けられた磁性体コア２１、および磁性体コア２１を収容するハウジング２５を有する。電子ユニット３０は、ギャップ部２２に配置されて磁性体コア２１で生じる磁束を検出する磁電変換素子３１、磁電変換素子３１に接続される配索材３４、および配索材３４を収容するとともに磁電変換素子３１を外側に配置した本体部３２を有する。本発明は、コアユニット２０と電子ユニット３０とが別体であることを特徴とする。【選択図】図１
2011106958.tif 000002
【特許請求の範囲】
【請求項１】
ギャップ部が設けられた磁性体コア、および前記磁性体コアを収容するハウジングを有するコアユニットと、
前記ギャップ部に配置されて前記磁性体コアで生じる磁束を検出する磁電変換素子、前記磁電変換素子に接続される配索材、および前記配索材を収容するとともに前記磁電変換素子を外側に配置した本体部を有し、かつ前記コアユニットとは別体の電子ユニットと、を備えることを特徴とする電流検出装置。
【請求項２】
前記電子ユニットの本体部および前記コアユニットのハウジングのうち、いずれか一方には係合部が形成され、他方には前記係合部が係合可能な被係合部が形成されていることを特徴とする請求項１に記載の電流検出装置。
【請求項３】
前記磁電変換素子は、前記磁性体コアの厚み方向に対して略平行な方向に差し込むことにより前記ギャップ部に配置されることを特徴とする請求項１または請求項２に記載の電流検出装置。
【請求項４】
前記電子ユニットは、前記本体部と着脱自在に結合して外部機器と前記磁電変換素子とを電気的に接続するコネクタ部を備えることを特徴とする請求項１ないし請求項３のいずれか一項に記載の電流検出装置。
【請求項５】
前記磁性体コアは電流検出対象である導体を挿通可能な導体挿通部を有し、
前記コアユニットにおいて、前記導体が前記磁性体コアの導体挿通部に挿通された状態で、前記ハウジングとモールド成形により一体化されていることを特徴とする請求項１ないし請求項４のいずれか一項に記載の電流検出装置。
【請求項６】
前記導体に、前記磁性体コアのギャップ部の幅寸法以下に形成され前記ギャップ部を挿通可能な挿通可能部を設けたことを特徴とする請求項５に記載の電流検出装置。 
【発明の詳細な説明】
【技術分野】
【０００１】
本発明は、電流検出装置に関する。
【背景技術】
【０００２】
車両等に搭載される電気接続箱には、電流検出装置が取り付けられる場合がある。このような電流検出装置としてはたとえば特許文献１に記載のものなどが知られている。
【０００３】
特許文献１には、１つの樹脂ケースに、磁性体コアと、磁性体コアの挿通部に挿通されて電流検出対象となる導体と、磁性体コアのギャップ部に配されて導体を流れる電流により発生した磁束を検出する磁電変換素子と、が収容された電流検出装置が記載されている（特許文献１の図１および図６などを参照）。
【先行技術文献】
【特許文献】
【０００４】
【特許文献１】特開２００９−２１０４０５号公報
【発明の概要】
【発明が解決しようとする課題】
【０００５】
ところで、電流検出装置を構成する部材を収容するケースの材料としては、ケースに求められる性能を満たすものが用いられる。たとえば特許文献１に記載の電流検出装置では、磁性体コアを保持するコア保持部が設けられているが、当該コア保持部では高い保持力が求められるため、剛性の高い材料を用いることが必要となる。また磁電変換素子とコアのギャップ部との位置合わせを正確に行うため、加工精度がよく、熱変形が少ない材料を用いることが必要である。
【０００６】
しかし、上記特許文献１に記載の電流検出装置のように、磁電変換素子と磁性体コアなどの構成部材を１つのケースに収容する場合には、ケース全体を同じ材料で作製するのが一般的であるので、このような場合には、一部において求められる特性を満たすために、ケース全体を高価な材料を用いて作製する必要が生じ得る。
本発明は上記のような事情に基づいて完成されたものであって、コストを低減した電流検出装置を提供することを目的とする。
【課題を解決するための手段】
【０００７】
上記課題を解決するものとして、本発明は、ギャップ部が設けられた磁性体コア、および前記磁性体コアを収容するハウジングを有するコアユニットと、前記ギャップ部に配置されて前記磁性体コアで生じる磁束を検出する磁電変換素子、前記磁電変換素子に接続される配索材、および前記配索材を収容するとともに前記磁電変換素子を外側に配置した本体部を有し、かつ前記コアユニットとは別体の電子ユニットと、を備えることを特徴とする電流検出装置である。
【０００８】
上述したように、磁電変換素子と磁性体コアなどの構成部材を１つの樹脂ケースに収容する場合には、樹脂ケースの材料としては一種類の樹脂が用いられるのが一般的である。これに対して、本発明では、コアユニットと電子ユニットとが別体であるので、各ユニットあるいはユニットを構成する部品の一部を異なる材料を用いて作製することができる。本発明の構造では、磁電変換素子と磁性体コアとの位置合わせを精度よく行うことが出来る構造とするのが好ましいのであるが、本発明においては、例えば位置合わせに介在する部分のみ加工精度が良い材料を用いて、それ以外は安価な材料を用いることが可能である。その結果、本発明によれば、装置全体としてのコストを低減するという効果が得られるのである。
【０００９】
本発明は以下の構成であってもよい。
前記電子ユニットの本体部および前記コアユニットのハウジングのうち、いずれか一方には係合部が形成され、他方には前記係合部が係合可能な被係合部が形成されている構成であってもよい。この構成によれば、係合部と被係合部とを係合させることにより、電子ユニットとコアユニットの位置合わせを容易かつ確実に行うことができる。
【００１０】
前記磁電変換素子は、前記磁性体コアの厚み方向に対して略平行な方向に差し込むことにより前記ギャップ部に配置されていてもよい。このような構成とすると、磁電変換素子を有する電子ユニットと磁性体コアを有するコアユニットとが一部または全域にわたって重なり合うので電流検出装置の投影面積を小さくすることができる。その結果、電流検出装置を小型化することができる。
【００１１】
前記電子ユニットは、前記本体部と着脱自在に結合して外部機器と前記磁電変換素子とを電気的に接続するコネクタ部を備えていてもよい。このような構成とすると、外部機器と磁電変換素子との電気的な接続を容易に行うことができる。
【００１２】
前記磁性体コアは電流検出対象である導体を挿通可能な挿通部を有し、前記コアユニットにおいて、前記導体が前記磁性体コアの挿通部に挿通された状態で、前記ハウジングとがモールド成形により一体化されていてもよい。
【００１３】
前記導体に、前記磁性体コアのギャップ部の幅寸法以下に形成され前記ギャップ部を挿通可能な挿通可能部を設けてもよい。このような構成とすると、磁性体コアをより小型化することができる。
【発明の効果】
【００１４】
本発明によれば、コストを低減した電流検出装置を提供することができる。
【図面の簡単な説明】
【００１５】
【図１】実施形態１の電流検出装置の縦断面図
【図２】電子ユニットをコアユニットに組み付ける手順を説明する斜視図
【図３】電流検出装置の横断面図
【図４】電子ユニットの本体部の内部を模式的に示した模式図
【図５】電子ユニットの本体部の内部を模式的に示した模式図
【図６】実施形態２の電流検出装置において電子ユニットをコアユニットに組み付ける手順を説明する斜視図
【図７】実施形態３の電流検出装置の縦断面図
【図８】他の実施形態で説明する電流検出装置の横断面図
【図９】図８の電流検出装置の縦断面図
【発明を実施するための形態】
【００１６】
＜実施形態１＞
本発明の実施形態１を図１ないし図４によって説明する。
本実施形態の電流検出装置１０は、図１に示すように、磁性体コア２１と磁性体コア２１を収容するハウジング２５を有するコアユニット２０と、このコアユニット２０に重ねられた略直方体状の電子ユニット３０と、を備える。
まず、コアユニット２０について説明する。コアユニット２０のハウジング２５の上面と図１に示す右側側面からは、銅などの導電性材料からなるバスバー１１（導体）が突出している。バスバー１１はハウジング２５の側面から突出し電気接続箱１の底面２に対して略平行に配されたバスバー本体部１２と、バスバー本体部１２から略垂直に立ち上げられた起立部１７とを有し、略Ｌ字状をなしている。バスバー本体部１２は電気接続箱１の底面２に設けた台３に載置されている。
【００１７】
バスバー１１の起立部１７の上端には、バッテリやインバータなどの他の部材（図示せず）と接続される端子部１３が設けられている。この端子部１３の大きさはバスバー１１を流れる電流の量によって決定される。バスバー１１の端子部１３の下側には、図２に示すように、端子部１３よりも幅寸法を小さくした首部１４と、Ｕ字状をなすＵ字部１５と、Ｕ字部１５よりもさらに幅寸法の小さいくびれ部１６（挿通可能部１６）が連なっている。バスバー１１のＵ字部１５は、展開形状がくびれ部１６よりも幅広な部分を、磁性体コア２１のバスバー挿通部２３を挿通可能なサイズに折り曲げ加工を施すことにより形成されている。
バスバー１１の起立部１７の下端は略垂直に折り曲げられてバスバー本体部１２に連なっている。バスバー１１のＵ字部１５とバスバー本体部１２の断面積は、バスバー１１の成形歩留まりを向上させるため同程度であるのが好ましい。
【００１８】
くびれ部１６は、幅寸法が磁性体コア２１のギャップ部２２の幅寸法Ａ以下であるとともに、その長さＣが磁性体コア２１の厚み寸法Ｂ以上となるように形成されており、磁性体コア２１のギャップ部２２を円滑に差し込むことができるようになっている。本実施形態では、くびれ部１６の長さＣは、磁性体コア２１の厚み寸法Ｂより少し大きくなるように、すなわち、磁性体コア２１を取り付けるのに必要な最小限の長さとなるように設定されている。
【００１９】
磁性体コア２１は図２および図３に示すように、略Ｃ字状をなしており、磁束を検出する磁電変換素子３１が配置されるギャップ部２２と、バスバー１１が挿通されるバスバー挿通部２３（導体挿通部２３）とが設けられている。
【００２０】
磁性体コア２１を収容するハウジング２５と、バスバー１１が挿通された状態の磁性体コア２１とは、モールド成形により一体化されている。
ハウジング２５を構成する材料としては、ポリブチレンテレフタレート（ＰＢＴ）、ナイロン、ポリプロピレン（ＰＰ）、ポリエチレン（ＰＥ）などの各種樹脂材料が挙げられる。これらの材料にはガラス繊維などのフィラーが入っていてもよい。これらのうち、位置合わせに介在しない部分をの材料としてＰＰ、ＰＥなどの安価な樹脂を用いるのが好ましい。
【００２１】
ハウジング２５の上面には、磁性体コア２１のギャップ部２２の直上に相当する位置に、後述する磁電変換素子３１が挿通可能な素子挿通孔２７が形成されている。また、ハウジング２５の上面には、電子ユニット３０の本体部３２に形成されている２つの係合凸部３３，３３（係合部）と係合可能な２つの係合孔２６，２６（被係合部）が形成されている（図２および図３を参照）。
【００２２】
次に電子ユニット３０について説明する。電子ユニット３０は、磁性体コア２１のギャップ部２２に配置されて磁性体コア２１で生じる磁束を検出する磁電変換素子３１と、磁電変換素子３１に接続される配索材３４と、配索材３４を収容する本体部３２とを有する。
【００２３】
電子ユニット３０の本体部３２は、図２に示すように、略直方体状をなしており、本体部３２の上面からは外部機器（図示せず）と接続される電線３６が導出されており、本体部３２の下端には２つの係合凸部３３，３３が形成されている。
本体部３２の内部は、図４および図５に示すように、静電気防止コンデンサなどの電子部品３５と、磁電変換素子３１と外部機器とを電気的に接続する配索材３４とが収容されている。
【００２４】
配索材３４としては、例えば、図４に示すようなプリント基板３４Ａや図５に示すようなバスバー３４Ｂ（以下、「内部バスバー３４Ｂ」という）などを用いることができる。
図４では配索材３４としてプリント基板３４Ａを用いた本体部３２の内部を模式的に示している。図４に示すように、プリント基板３４Ａには電子部品３５が実装されており、その上端側には外部機器に接続された電線３６の端末が接続され、下端側には磁電変換素子３１が接続される。
【００２５】
図５では配索材３４として内部バスバー３４Ｂを用いた本体部３２の内部を模式的に示している。図５に示すように、電子部品３５は隣接する内部バスバー３４Ｂを繋げるように配置され、内部バスバー３４Ｂの上端部側に外部機器に接続された電線３６の端末が接続され、内部バスバー３４Ｂの下端部側に磁電変換素子３１が接続される。
【００２６】
配索材３４に接続された磁電変換素子３１は、図１および図２に示すように係合凸部３３よりも下側、つまり本体部３２の下端部よりも下側（本体部３２の外側）に配されている。
【００２７】
電子ユニット３０の本体部３２は樹脂材料をモールド成形するなどの方法により作製される。本体部３２を構成する材料としては、ＰＢＴ、ナイロン、ＰＰ、ＰＥなどの各種樹脂材料が挙げられる。これらの材料にはガラス繊維などのフィラーが入っていてもよい。電子ユニット３０の本体部３２の材料としては、コアユニット２０に取り付けられた際のがたつきを防止するという観点からＰＢＴやナイロンなどの剛性の高い材料を用いるのが好ましい。
【００２８】
次に、電子ユニット３０をコアユニット２０に組み付ける方法について説明する。
まずコアユニット２０を作製する。導電性の金属板から、所定形状のバスバー１１を切り出し、図１および図２に示すような形状となるように曲げ加工などを施す。このようにして作製したバスバー１１に、以下の手順により磁性体コア２１を取り付ける。まず、磁性体コア２１のギャップ部２２をバスバー１１のくびれ部１６に差し込む。本実施形態において、バスバー１１のくびれ部１６は、幅寸法が磁性体コア２１のギャップ部２２の幅寸法Ａ以下であるとともに、その長さＣが磁性体コア２１の厚み寸法Ｂ以上に形成されているので、磁性体コア２１のギャップ部２２を円滑に差し込むことができる。
【００２９】
次に、バスバー１１のＵ字部１５に磁性体コア２１のバスバー挿通部２３が配されるように、バスバー１１または磁性体コア２１を移動させる。ここで、Ｕ字部１５は予めバスバー挿通部２３を挿通可能に加工されているので、磁性体コア２１のバスバー挿通部２３に挿通させることができる。
【００３０】
次に、バスバー１１を挿通させた状態の磁性体コア２１とハウジング２５とを、モールド成形により一体化することでコアユニット２０が得られる。このようにして作製したコアユニット２０を電気接続箱１の底面２の所定位置に取り付ける。
次に、電子ユニット３０の本体部３２に配索材３４を収容し、この配索材３４に外部機器に接続された電線３６の端末と磁電変換素子３１とを接続することにより電子ユニット３０を作製する。
【００３１】
このようにして作製した電子ユニット３０の磁電変換素子３１を、図１および図２における上側からコアユニット２０の素子挿通孔２７（磁性体コア２１の厚み方向に対して略平行な方向）に差し込んで磁性体コア２１のギャップ部２２に配置し、電子ユニット３０の係合凸部３３をコアユニット２０の係合孔２６に係合させることにより、電子ユニット３０がコアユニット２０の所定位置に組みつけられる。電子ユニット３０がコアユニット２０に組みつけられた状態において、電子ユニット３０は、図３に示すように、コアユニット２０の投影面積の範囲内にある。
【００３２】
次に、本実施形態の効果について説明する。
本実施形態では、コアユニット２０と電子ユニット３０とが別体であるので、各ユニットを別々の材料を用いて作製することができる。例えば電子ユニット３０とコアユニット２０の材料として位置合わせに介在する部分のみ加工精度が良い材料を用い、それ以外は安価な材料を用いて二色成形により各ユニットを作製することが可能である。その結果、本実施形態によれば、電流検出装置１０全体としてのコストを低減することができる。
【００３３】
また、本実施形態では、磁電変換素子３１は、図２における上側から下側方向（磁性体コア２１の厚み方向に対して略平行な方向）に差し込むことによりギャップ部２２に配置されているから、電子ユニット３０とコアユニット２０とが全域にわたって重なり合うので電流検出装置１０の投影面積を小さくすることができる。その結果、本実施形態によれば、電流検出装置１０を小型化することができる。
【００３４】
特に、本実施形態では、バスバー１１に、磁性体コア２１のギャップ部２２の幅寸法以下に形成されギャップ部２２を挿通可能なくびれ部１６（挿通可能部１６）を設けたから、磁性体コア２１をより小型化することができる。なお、バスバー１１に幅寸法の小さい部分を設けると、バスバー１１の抵抗値の増大が懸念されるが、本実施形態によれば、くびれ部１６の長さが、磁性体コア２１を取り付けるのに必要な最小限の長さに設定されており、くびれ部１６に隣接して展開形状が幅広なＵ字部１５を設けているから、バスバー１１の抵抗値の増大を確実に防止することができる。
【００３５】
また、本実施形態によれば、電子ユニット３０の本体部３２に２つの係合凸部３３，３３が形成され、コアユニット２０のハウジング２５には係合凸部３３，３３が係合可能な２つの係合孔２６，２６が形成されているから、電子ユニット３０とコアユニット２０の位置合わせを容易かつ確実に行うことができる。
【００３６】
＜実施形態２＞
次に、本発明の実施形態２を図６によって説明する。本実施形態は、電子ユニット３０が、本体部３２と着脱自在に結合して外部機器と磁電変換素子３１とを電気的に接続するコネクタ部４０を備える点で実施形態１と相違する。上記実施形態１と同様の構成部位については同一符号を付して重複する記載は省略する。
【００３７】
電子ユニット３０の本体部３２には、図６に示すように、複数の端子３７が端子３７の先端部を上方に向けた状態で設けられている。本体部３２と電線３６の端末が接続されたコネクタ部４０とは互いに嵌合可能となっている。本体部３２とコネクタ部４０とは嵌合が終了すると、公知の構成のロック機構により係止される。その他の構成や作用効果は実施形態１と概ね同様である。
本実施形態によれば、本体部３２と着脱自在に結合するコネクタ部４０を備えるので、外部機器と磁電変換素子３１との電気的な接続を容易に行うことができる。
【００３８】
＜実施形態３＞
次に、本発明の実施形態３を図７によって説明する。本実施形態は、磁電変換素子３１を差し込む方向が磁性体コア２１の厚み方向に対して略垂直な方向であるという点で、実施形態１と相違する。上記実施形態１と同様の構成部位については同一符号を付して重複する記載は省略する。
本実施形態では、図７に示すように、ハウジング２５の側面（図７における左側の側面）に、磁電変換素子３１が挿通可能な素子挿通孔２７と、２つの係合孔２６とが形成されている。
【００３９】
本実施形態では、磁電変換素子３１を、図７における左側からコアユニット２０の素子挿通孔２７（磁性体コア２１の厚み方向に対して略垂直な方向）に差し込んで磁性体コア２１のギャップ部２２に配置し、電子ユニット３０の係合凸部３３をコアユニット２０の係合孔２６に係合させることにより、電子ユニット３０がコアユニット２０の所定位置に組みつけられる。
【００４０】
電子ユニット３０がコアユニット２０に組みつけられた状態において、電子ユニット３０は、図７に示すように、コアユニット２０と並列した位置に配される。その他の構成や作用効果はは実施形態１と概ね同様である。
本実施形態によれば、磁電変換素子３１を差し込む方向が磁性体コア２１の厚み方向に対して略垂直な方向であるので、電流検出装置１０を高さ方向において省スペースなものとすることができる。
【００４１】
＜他の実施形態＞
本発明は上記記述及び図面によって説明した実施形態に限定されるものではなく、例えば次のような実施形態も本発明の技術的範囲に含まれる。
（１）上記実施形態では、係合部と被係合部として、電子ユニット３０の本体部３２に２つの係合凸部３３，３３を設け、コアユニット２０のハウジング２５に２つの係合孔２６，２６を設けたものを示したが、係合凸部３３や係合孔２６の数は１つであっても３以上であってもよいし、これらを設けなくてもよい。また、電子ユニット３０の本体部３２に係合孔２６を設けハウジング２５に係合凸部３３を設けたものであってもよいし別の形態の係合部や被係合部を設けてもよい。
【００４２】
（２）上記実施形態では、磁性体コア２１のバスバー挿通部２３に挿通された状態のバスバー１１とハウジング２５とがモールド成形により一体化されているものを示したが、ハウジング２５にバスバー１１の係止部を設けてバスバー１１を固定してもよい。
【００４３】
（３）上記実施形態では、磁性体コア２１のギャップ部２２の幅寸法Ａ以下の幅寸法の部分（くびれ部１６）を設けたバスバー１１を示したが、ギャップ部２２の幅寸法Ａ以下となるようにバスバー１１に曲げ加工を施すことにより図８に示すように略Ｃ字状をなすＣ字部１５ａを設けてもよい。このようにすることにより、図９に示すように、くびれ部１６の長さＣ１を短くでき、電流検出装置１０を高さ方向において省スペースなものとすることが出来る。またＵ字部１５を設けた実施形態１の電流検出装置１０（幅寸法は図１中のＤ）よりも、Ｃ字部１５ａを設けた電流検出装置１０において幅寸法Ｄ１を小さくすることができ、これにより省スペースとすることができる。なお、この形態のバスバー１１に磁性体コア２１を取り付ける際には、バスバー１１のＣ字部１５ａのうちギャップ部２２の幅寸法Ａ以下の部分を磁性体コア２１のギャップ部２２に挿通させてからバスバー１１を所定位置に配する。
【符号の説明】
【００４４】
１０…電流検出装置９
１１…バスバー
１２…バスバー本体部
１６…くびれ部（挿通可能部）
２０…コアユニット
２１…磁性体コア
２２…ギャップ部
２３…バスバー挿通部（導体挿通部）
２５…ハウジング
２６…係合孔（被係合部）
３０…電子ユニット
３１…磁電変換素子
３２…（電子ユニットの）本体部
３３…係合凸部（係合部）
３４…配索材
３５…電子部品
３６…電線（外部機器に接続された電線）
４０…コネクタ部 
【図１】
2011106958.tif 000003
【図２】
2011106958.tif 000004
【図３】
2011106958.tif 000005
【図４】
2011106958.tif 000006
【図５】
2011106958.tif 000007
【図６】
2011106958.tif 000008
【図７】
2011106958.tif 000009
【図８】
2011106958.tif 000010
【図９】
2011106958.tif 000011